(57)【特許請求の範囲】
【請求項１】
対象部品に取り付けられたカシメまたはホックの芯部を打ち突いて当該カシメまたはホックを破壊することで、当該カシメまたはホックを前記対象部品から取り外すための工具キットであって、
カシメまたはホックの芯部を打ち突くための棒状部材と、
カシメまたはホックが取り付けられた対象部品を載置するための土台部材と、
を備え、
前記土台部材には、カシメまたはホックの芯部を棒状部材によって打ち突く際の逃げ部となる穴部が少なくとも２種類設けられている
ことを特徴とする工具キット。
【請求項２】
前記棒状部材は、長さが６ｃｍ〜１５ｃｍであり、
前記土台部材は、厚みが０．５ｃｍ〜２．０ｃｍであり、
前記穴部の一つは、径０．５ｃｍ〜１．３ｃｍの円形穴部であり、
前記穴部の他の一つは、径１．３ｃｍ〜２．０ｃｍの円形穴部である
ことを特徴とする請求項1に記載の工具キット。
【請求項３】
前記穴部は、少なくとも５種類設けられていて、
前記穴部の一つは、径０．６ｃｍ〜１．０ｃｍの円形穴部であり、
前記穴部の他の一つは、径０．８ｃｍ〜１．２ｃｍの円形穴部であり、
前記穴部の更に他の一つは、径１．０ｃｍ〜１．４ｃｍの円形穴部であり、
前記穴部の更に他の一つは、径１．２ｃｍ〜１．６ｃｍの円形穴部であり、
前記穴部の更に他の一つは、径１．４ｃｍ〜１．８ｃｍの円形穴部である
ことを特徴とする請求項２に記載の工具キット。
【請求項４】
前記棒状部材は、長さが１０ｃｍ〜１５ｃｍであり、
前記土台部材は、長さが３ｃｍ〜１５ｃｍであり、幅が３．０ｃｍ〜６．０ｃｍである
ことを特徴とする請求項２または３に記載の工具キット。
【請求項５】
前記棒状部材は、金属製であり、
前記土台部材は、樹脂製である
ことを特徴とする請求項１乃至４のいずれかに記載の工具キット。
【発明の詳細な説明】
【技術分野】
【０００１】
本発明は、対象部品に取り付けられたカシメまたはホックを当該対象部品から取り外すための工具キットに関する。
【背景技術】
【０００２】
従来より、革部品や布部品やビニル部品等であり得る複数枚の対象部品を重ねた状態に固定する際、当該複数枚の対象部品を穿孔して、それらの孔にカシメと呼ばれる金具を挿入して固定することが幅広く利用されている。カシメと呼ばれる金具は、複数枚の対象部品の孔に挿入された後、押圧変形されることで、当該複数枚の対象部品を重ねた状態に固定する。
【０００３】
図１は、カシメと呼ばれる金具の概略斜視図である。図１に示すように、カシメと呼ばれる金具１０は、軸心方向に延びる突芯部１１を有する下金具１２と、突芯部１１を受容するための中空筒部１３を有する上金具１４と、からなっている。
【０００４】
図２に示すように、例えば２枚の対象部品としての革部品を重ねた状態に固定する際、当該２枚の革部品が穿孔されて、それらの孔にカシメと呼ばれる金具１０が挿入される。具体的には、２枚の革部品の孔の裏側に、突芯部１１を上向きにした下金具１２が載置され、２枚の革部品の孔の表側から、中空筒部１３を下向きにした上金具１４が挿入されて、突芯部１１と中空筒部１３とが係合される。
【０００５】
その後、上金具１４をトンカチ等で叩打することにより、上金具１４と下金具１２との間の距離が２枚の革部品の厚さに整えられると共に、突芯部１１と中空筒部１３とが変形されることで両者の係合状態が半永久的に維持される。
【０００６】
以上のようなカシメ１０を用いた革部品の固定は、革製品を作成する人々に、幅広く利用されている。
【０００７】
しかしながら、何らかの理由で、一旦取り付けたカシメ１０を革部品から取り外したい場合がある。例えば、カシメ１０のサイズ、色、模様等を間違えた場合や、上金具１４をトンカチ等で叩打する作業時にカシメ１０が不所望に不細工に変形してしまった場合である。
【０００８】
こういった時、従来は、クイキリまたはニッパを用いてカシメ１０を取り外していた。
【発明の概要】
【発明が解決しようとする課題】
【０００９】
しかしながら、クイキリまたはニッパを用いてカシメ１０を取り外す作業は、極めて面倒である。
【００１０】
本件発明者は、鋭意検討を重ねるうち、革部品等の対象部品に取り付けられたカシメの芯部を打ち突いて当該カシメを破壊することで、当該カシメを前記革部品等の対象部品から取り外すことができるという知見を得た。また、当該知見は、カシメのみならず、ホックにも適用できる。
【００１１】
本発明は、以上の知見に基づいて創案されたものである。本発明の目的は、クイキリまたはニッパを用いることなく、革部品等の対象部品に取り付けられたカシメまたはホックを当該革部品等の対象部品から取り外すことができる工具キットを提供することである。
【課題を解決するための手段】
【００１２】
本発明は、対象部品に取り付けられたカシメまたはホックの芯部を打ち突いて当該カシメまたはホックを破壊することで、当該カシメまたはホックを前記対象部品から取り外すための工具キットであって、カシメまたはホックの芯部を打ち突くための棒状部材と、カシメまたはホックが取り付けられた対象部品を載置するための土台部材と、を備え、前記土台部材には、カシメまたはホックの芯部を棒状部材によって打ち突く際の逃げ部となる穴部が少なくとも２種類設けられていることを特徴とする工具キットである。
【００１３】
本発明によれば、対象部品に取り付けられたカシメまたはホックの芯部を打ち突いて当該カシメまたはホックを破壊することで、当該カシメまたはホックを前記対象部品から取り外すことができるため、クイキリまたはニッパを用いた面倒な作業から開放される。また、カシメまたはホックの芯部を棒状部材によって打ち突く際の逃げ部となる穴部が少なくとも２種類設けられた土台部材が用意されたことにより、カシメまたはホックのサイズに応じて、棒状部材による打ち突きの作業を極めて容易に行うことができる。
【００１４】
打ち突き作業にとって好適なサイズとして、棒状部材は、長さが６ｃｍ〜１５ｃｍであり、土台部材は、厚みが０．５ｃｍ〜２．０ｃｍである。また、２種類の穴部としては、例えば、穴部の一つは、径０．５ｃｍ〜１．３ｃｍの円形穴部であり、穴部の他の一つは、径１．３ｃｍ〜２．０ｃｍの円形穴部である。
【００１５】
本件発明者の試作品においては、前記穴部は、５種類設けられている。そして、好適なサイズとして、穴部の一つは、径０．６ｃｍ〜１．０ｃｍの円形穴部であり、穴部の他の一つは、径０．８ｃｍ〜１．２ｃｍの円形穴部であり、穴部の更に他の一つは、径１．０ｃｍ〜１．４ｃｍの円形穴部であり、穴部の更に他の一つは、径１．２ｃｍ〜１．６ｃｍの円形穴部であり、穴部の更に他の一つは、径１．４ｃｍ〜１．８ｃｍの円形穴部である。
【００１６】
また、保存ないし収納あるいは販売時のレイアウトにとって好適なサイズとして、棒状部材は、長さが１０ｃｍ〜１５ｃｍであり、土台部材は、長さが３ｃｍ〜１５ｃｍであり、幅が３．０ｃｍ〜６．０ｃｍである。また、一般的には、棒状部材は、金属製であり、土台部材は、樹脂製である。
【発明の効果】
【００１７】
本発明によれば、対象部品に取り付けられたカシメまたはホックの芯部を打ち突いて当該カシメまたはホックを破壊することで、当該カシメまたはホックを前記対象部品から取り外すことができるため、クイキリまたはニッパを用いた面倒な作業から開放される。また、カシメまたはホックの芯部を棒状部材によって打ち突く際の逃げ部となる穴部が少なくとも２種類設けられた土台部材が用意されたことにより、カシメまたはホックのサイズに応じて、棒状部材による打ち突きの作業を極めて容易に行うことができる。
【図面の簡単な説明】
【００１８】
【図１】カシメと呼ばれる金具の概略斜視図である。
【図２】カシメによって固定された状態の２枚の革部品を示す概略斜視図である。
【図３】本発明の一実施の形態による工具キットの棒状部材を示す概略斜視図である。
【図４】本発明の一実施の形態による工具キットの土台部材を示す概略斜視図である。
【図５】打ち突きによって破壊されたカシメを示す概略斜視図である。
【図６】打ち突きによって破壊されたカシメの他の例を示す概略斜視図である。
【発明を実施するための形態】
【００１９】
以下に、添付の図面を参照して、本発明の実施の形態を詳細に説明する。
【００２０】
図３は、本発明の一実施の形態による工具キット５０の棒状部材３０を示す概略斜視図であり、図４は、本発明の一実施の形態による工具キット５０の土台部材４０を示す概略斜視図である。
【００２１】
本実施の形態の工具キット５０は、図３に示す棒状部材３０と、図４に示す土台部材４０とからなるキットである。
【００２２】
図３に示すように、本実施の形態の棒状部材３０は、全体の長さが１３．５ｃｍであり、先端側の４ｃｍの部分３１が直径２ｍｍの細い円筒形状となっている。当該部分３１は、長さ１ｃｍの拡径部３２を経て、長さ６．５ｃｍの断面正八角形状の把持部３３を経て、長さ１ｃｍの縮径部３４に至っている。本実施の形態の棒状部材３０は、全体がステンレススチールで構成されている。
【００２３】
一方、図４に示すように、本実施の形態の土台部材４０は、厚みが１．０ｃｍであり、長さが１２．０ｃｍであり、幅が４．８ｃｍである。４つのコーナー部は、角丸めされている。そして、本実施の形態の土台部材４０には、カシメ１０またはホックの芯部を棒状部材３０によって打ち突く際の逃げ部となる穴部が、５種類設けられている。
【００２４】
第１穴部４１は、径０．８ｃｍの円形穴部であり、第２穴部４２は、径１．０ｃｍの円形穴部であり、第３穴部４３は、径１．２ｃｍの円形穴部であり、第４穴部４４は、径１．４ｃｍの円形穴部であり、第５穴部４５は、径１．６ｃｍの円形穴部である。第１穴部４１〜第５穴部４５は、図４に示すように、互いに間隔を空けて、長さ方向に１列に並ぶように設けられている。
【００２５】
次に、以上のような本実施の形態の作用について説明する。
【００２６】
図２を用いて説明したように、例えば２枚の対象部品である革部品を重ねた状態に固定する際、当該２枚の革部品が穿孔されて、それらの孔にカシメ１０が挿入される。具体的には、重ねられた２枚の革部品の孔の裏側に、突芯部１１を上向きにした下金具１２が載置され、２枚の革部品の孔の表側から、中空筒部１３を下向きにした上金具１４が挿入されて、突芯部１１と中空筒部１３とが係合される。そして、上金具１４をトンカチ等で叩打することにより、上金具１４と下金具１２との間の距離が２枚の革部品の厚さに整えられ、突芯部１１と中空筒部１３とが変形されて、両者の係合状態が半永久的に維持される。本実施の形態の工具キット５０は、このように一旦取り付けたカシメ１０を、何らかの理由で革部品から取り外したい場合に用いられる。
【００２７】
まず、取り外したいカシメ１０が当該カシメ１０のサイズに適合する土台部材４０の穴部の上に位置するように、革部品が土台部材４０の上に載置される。そして、取り外したいカシメ１０の芯部、すなわち、突芯部１１及び中空筒部１３が存在するカシメ１０の中心部に対応する上金具１４の上面に、棒状部材３０の先端が押し当てられる。
【００２８】
当該押し当て状態を維持しつつ、棒状部材３０を把持部３３にて把持して、棒状部材３０の頭部をトンカチ等で強く叩打する。これにより、上金具１４の中空筒部１３と下金具１２の突芯部１１とが一体となって変形し、中空筒部１３を含む上金具１４の中心部が上金具１４の残部から分離され、上金具１４は図５に示すように破壊される。あるいは、上金具１４の中空筒部１３の内側領域と下金具１２の突芯部１１とが一体となって変形し、中空筒部１３の内側領域が上金具１４の残部から分離され、上金具１４は図６に示すように破壊される。このようにして、下金具１２と上金具１４との係合状態が解消し、取り外したいカシメ１０を革部品から容易に取り除くことができる。
【００２９】
なお、カシメ１０のサイズに適合する土台部材４０の穴部というのは、トンカチ等による強い叩打を受ける際に、カシメ１０の中空筒部１３を含む上金具１４の中心部が上金具１４の残部から分離されるのに十分な力が有効にカシメ１０に伝達されるべく、必要以上に過大でない大きさを有する穴部であり、作業者によって、第１穴部４１乃至第５穴部４５から適宜に選択される。
【００３０】
以上のように、本実施の形態によれば、革部品に取り付けられたカシメ１０の芯部を打ち突いて当該カシメ１０の上金具１４を破壊することで、当該カシメ１０を革部品から容易に取り外すことができる。このため、クイキリまたはニッパを用いた面倒な作業から開放される。また、カシメ１０の芯部を棒状部材３０によって打ち突く際の逃げ部となる穴部が５種類も設けられているため、カシメ１０のサイズに応じて、棒状部材３０による打ち突きの作業を極めて容易に行うことができる。
【００３１】
本実施の形態の工具キット５０は、革部品等の対象部品に取り付けたホックを、何らかの理由で当該革部品等の対象部品から取り外したい場合にも用いられ得る。この場合も、革部品等の対象部品に取り付けられたホックの芯部を打ち突いて当該ホックの上金具を破壊することで、当該ホックを革部品等の対象部品から容易に取り外すことができる。また、ホックの芯部を棒状部材３０によって打ち突く際の逃げ部となる穴部が５種類も設けられているため、ホックのサイズに応じて、棒状部材３０による打ち突きの作業を極めて容易に行うことができる。
【００３２】
なお、本実施の形態の棒状部材３０及び土台部材４０のサイズは、単なる一例に過ぎないが、打ち突き作業にとって好適なサイズとしては、棒状部材３０は、長さが６ｃｍ〜１５ｃｍであり、土台部材４０は、厚みが０．５ｃｍ〜２．０ｃｍである。また、第１穴部４１乃至第５穴部４５についても、それぞれ、径０．６ｃｍ〜１．０ｃｍの円形穴部、径０．８ｃｍ〜１．２ｃｍの円形穴部、径１．０ｃｍ〜１．４ｃｍの円形穴部、径１．２ｃｍ〜１．６ｃｍの円形穴部、径１．４ｃｍ〜１．８ｃｍの円形穴部であり得る。
【００３３】
穴部の種類数は、５種類に限定されない。少なくとも２種類の穴部が設けられ、例えば、穴部の一つは、径０．５ｃｍ〜１．３ｃｍの円形穴部であり、穴部の他の一つは、径１．３ｃｍ〜２．０ｃｍの円形穴部であればよい。
【００３４】
また、保存ないし収納あるいは販売時のレイアウトにとって好適なサイズとして、棒状部材３０は、長さが１０ｃｍ〜１５ｃｍであり、土台部材４０は、長さが３ｃｍ〜１５ｃｍであり、幅が３．０ｃｍ〜６．０ｃｍである。
【００３５】
また、強度とコストとの観点から、棒状部材３０は金属製であることが好ましく、土台部材４０は樹脂製であることが好ましいが、それぞれ他の材料も採用され得る。
【符号の説明】
【００３６】
１０  カシメ（と呼ばれる金具）
１１  突芯部
１２  下金具
１３  中空筒部
１４  上金具
３０  棒状部材
３１  先端部分
３２  拡径部
３３  把持部
３４  縮径部
４０  土台部材
４１  第１穴部（径０．８ｃｍの円形穴部）
４２  第２穴部（径１．０ｃｍの円形穴部）
４３  第３穴部（径１．２ｃｍの円形穴部）
４４  第４穴部（径１．４ｃｍの円形穴部）
４５  第５穴部（径１．６ｃｍの円形穴部）
【図１】
0006013429.tif 000002
【図２】
0006013429.tif 000003
【図３】
0006013429.tif 000004
【図４】
0006013429.tif 000005
【図５】
0006013429.tif 000006
【図６】
0006013429.tif 000007